(57)【要約】【課題】携帯電話とストラップ取り付け具とを繋ぐ結着用紐が捩れて切断されたり、結着用紐が外れたりして、携帯電話を紛失するおそれがないストラップ取り付け具及びストラップ取り付け方法を提供すること。【解決手段】基部に雄ねじ１３Ａを有する第１筒状部材１２と、略中央で折り返された紐体の末端を固定部材１８により固定して形成される結着用紐１６を第１筒状部材１２の頭部より突出し、先端部に第１筒状部材１６の雄ねじ１３Ａと螺合する雌ねじを有し、底部には輪環１５を軸心方向に対し回転自在に取り付けた第２筒状部材１４とから構成されかつ固定部材１８は環状金具を横方向でＵ字形状に押圧した後、縦方向に回転して押圧し、扁平形状に形成することで、第１筒状部材１２内部に形成された段差部１９に係止する。【選択図】図１
2006000448.tif 000002
【特許請求の範囲】
【請求項１】
基部に雄ねじを有する第１筒状部材と、略中央で折り返された紐体の末端を固定部材により固定して形成される結着用紐を前記第１筒状部材の頭部より取り出し、先端部に第１筒状部材の雄ねじと螺合する雌ねじを有し、底部には輪環を軸心方向に対し回転自在に取り付けた第２筒状部材とから構成される携帯品へのストラップ取り付け具。
【請求項２】
前記固定部材は、ペンチのはさみ先端部の内側略中央に設けた凹凸部で環状金具を横方向でＵ字形状に押圧した後、該環状金具を縦方向に回転して押圧し、扁平形状に形成するものであることを特徴とする請求項１に記載の携帯品へのストラップ取り付け具。
【請求項３】
基部に雄ねじを有する第１筒状部材と、略中央で折り返された紐体の末端を固定部材により固定して形成される結着用紐を前記第１筒状部材の頭部より突出し、先端部に第１筒状部材の雄ねじと螺合する雌ねじを有し、底部には輪環を軸心方向に対し回転自在に取り付けた第２筒状部材とから構成される携帯品へのストラップ取り付け具であって、前記結着用紐は、前記第１筒状部材に基部方向より挿入され、該第１筒状部材内部に形成された段差部に前記固定部材を係止させることで、該第１筒状部材と固定するものであることを特徴とする携帯品へのストラップ取り付け具。
【請求項４】
基部に雄ねじを有する第１筒状部材と、略中央で折り返された紐体の末端を固定部材により固定して形成される結着用紐を前記第１筒状部材の頭部より取り出し、先端部に第１筒状部材の雄ねじと螺合する雌ねじを有し、底部には輪環を軸心方向に対し回転自在に取り付けた第２筒状部材とから構成されるストラップ取り付け具を使用する携帯品へのストラップ取り付け方法であって、前記略中央で折り返された紐体の末端を固定する固定部材は、環状金具を扁平に押しつぶして形成されるものであることを特徴とする請求項３に記載の携帯品へのストラップ取り付け方法。
【請求項５】
前記固定部材は、ペンチのはさみ先端部の内側略中央に設けた凹凸部で該環状金具を横方向でＵ字形状に押圧した後、該環状金具を縦方向に回転して押圧し、偏平形状に形成するものであることを特徴とする携帯品へのストラップ取り付け方法。
【請求項６】
基部に雄ねじを有する第１筒状部材と、略中央で折り返された紐体の末端を固定部材により固定して形成される結着用紐を前記第１筒状部材の頭部より突出し、先端部に第１筒状部材の雄ねじと螺合する雌ねじを有し、底部には輪環を軸心方向に対し回転自在に取り付けた第２筒状部材とから構成されるストラップ取り付け具を使用する携帯品へのストラップ取り付け方法であって、前記結着用紐は、前記第１筒状部材に基部方向より挿入され、該第１筒状部材内部に形成された段差部に前記固定部材が係止することで、該第１筒状部材に固定されるものであることを特徴とする携帯品へのストラップ取り付け方法。
【発明の詳細な説明】
【技術分野】
【０００１】
本発明は、携帯電話、カメラ、カバン等の携帯品に使用されるストラップ取り付け具及びストラップ取り付け方法に関する。なお、この明細書において、「ストラップ取り付け具」とは、携帯電話等の携帯品にストラップ本体を取り付けるための取り付け具をいうが、便宜上、携帯電話にのみ使用する取り付け具として説明する。また、「ストラップ本体」とは、携帯品を手などで持ち易くするためのアクセサリーや衣服などに取り付けるためのばねばさみなどを意味するものとする。
【背景技術】
【０００２】
近年、携帯電話の普及の拡大と共に、携帯電話のストラップ取り付け具にも種々のタイプが開発されている。簡易な構造のものとしては、例えば、図７に示すようなストラップ取り付け具７０があり、筒状部材７２に固定された結着用紐７６を携帯電話に設けられたストラップ通し部に挿通した後、ストラップ本体７８を結着用紐７６のループ内に通すことにより、ストラップ本体７８を携帯電話に取り付けるものがある。
【０００３】
一方、改良タイプのストラップ取り付け具８０として、図８に示すようなものが開発されており、第２筒状部材８４の回転自在な底板８３に輪環８５と輪環８５にはストラップ本体（図示せず。）を連結し、第１筒状部材８２の内部には軸心方向で軸穴を形成し（図示せず。）、該軸穴内にループ状の結着用紐８６の末端をエポキシなどの強力接着剤で接着する。そして、同様に、結着用紐８６を携帯電話に設けられた通し部に挿通した後、ストラップ本体７８を結着用紐７６に通すことにより、ストラップ本体７８を携帯電話に取り付けるものである。
【発明の開示】
【発明が解決しようとする課題】
【０００４】
しかし、簡易な構造のストラップ取り付け具７０によれば、筒状部材７２に結着用紐７６が直付けされているため、携帯電話に取り付けて使用すると結着用紐７６は捩れ、長い間には切断して携帯電話を紛失するおそれがある。
【０００５】
また、改良タイプのストラップ取り付け具８０においても、長い間の使用によれば軸穴内に接着された結着用紐８６は第１筒状部材８２から外れ、やはり携帯電話を紛失するおそれがある。
【０００６】
本発明は、簡単かつ安価に製造できて、携帯電話とストラップ取り付け具とを繋ぐ結着用紐が捩れて切断したり、長い間の使用により結着用紐が外れたりすることで、携帯電話を紛失するおそれがないストラップ取り付け具及びストラップ取り付け方法を提供することを目的とする。
【課題を解決するための手段】
【０００７】
本発明は、基部に雄ねじを有する第１筒状部材と、略中央で折り返された紐体の末端を固定部材により固定して形成される結着用紐を前記第１筒状部材の頭部より取り出し、先端部に第１筒状部材の雄ねじと螺合する雌ねじを有し、底部には輪環を軸心方向に対し回転自在に取り付けた第２筒状部材とから構成される携帯品へのストラップ取り付け具であることを特徴とする。また、本発明は、前記固定部材は、ペンチのはさみ先端部の内側略中央に設けた凹凸部で環状金具を横方向でＵ字形状に押圧した後、該環状金具を縦方向に回転して押圧し、扁平形状に形成する請求項１に記載の携帯品へのストラップ取り付け具であることを特徴とする。さらに、本発明は、基部に雄ねじを有する第１筒状部材と、略中央で折り返された紐体の末端を固定部材により固定して形成される結着用紐を前記第１筒状部材の頭部より突出し、先端部に第１筒状部材の雄ねじと螺合する雌ねじを有し、底部には輪環を軸心方向に対し回転自在に取り付けた第２筒状部材とから構成される携帯品へのストラップ取り付け具であって、前記結着用紐は、前記第１筒状部材に基部方向より挿入され、該第１筒状部材内部に形成された段差部に前記固定部材を係止させることで、該第１筒状部材と固定する携帯品へのストラップ取り付け具であることを特徴とする。
【０００８】
また、本発明は、基部に雄ねじを有する第１筒状部材と、略中央で折り返された紐体の末端を固定部材により固定して形成される結着用紐を前記第１筒状部材の頭部より取り出し、先端部に第１筒状部材の雄ねじと螺合する雌ねじを有し、底部には輪環を軸心方向に対し回転自在に取り付けた第２筒状部材とから構成されるストラップ取り付け具を使用する携帯品へのストラップ取り付け方法であって、前記略中央で折り返された紐体の末端を固定する固定部材は、環状金具を扁平に押しつぶして形成される携帯品へのストラップ取り付け方法であることを特徴とする。本発明は、前記固定部材は、ペンチのはさみ先端部の内側略中央に設けた凹凸部で該環状金具を横方向でＵ字形状に押圧した後、該環状金具を縦方向に回転して押圧し、偏平形状に形成する携帯品へのストラップ取り付け方法あることを特徴とする。本発明は、基部に雄ねじを有する第１筒状部材と、略中央で折り返された紐体の末端を固定部材により固定して形成される結着用紐を前記第１筒状部材の頭部より突出し、先端部に第１筒状部材の雄ねじと螺合する雌ねじを有し、底部には輪環を軸心方向に対し回転自在に取り付けた第２筒状部材とから構成されるストラップ取り付け具を使用する携帯品へのストラップ取り付け方法であって、前記結着用紐は、前記第１筒状部材に基部方向より挿入され、該第１筒状部材内部に形成された段差部に前記固定部材が係止することで、該第１筒状部材に固定される携帯品へのストラップ取り付け方法であることを特徴とする。
【発明の効果】
【０００９】
請求項１に記載された発明によれば、結着用紐は、第１筒状部材と固定部材により固定されるため、ストラップ取り付け具から外れることはない、また、第２筒状部材の底部に取り付けられた輪環が回転することで、使用中に結着用紐が捩れて切断されることもない。請求項２に記載された発明によれば、簡単に固定部材を形成することができる。
【００１０】
請求項３に記載された発明によれば、結着用紐の末端に取り付けられた固定部材が第１筒状部材の段差部と係止して、結着用紐を確実に第１筒状部材に固定することができる。
【００１１】
請求項４に記載された発明によれば、結着用紐は、第１筒状部材と固定部材により固定されるため、ストラップ取り付け具から外れることはない、また、第２筒状部材の底部に取り付けられた輪環が回転することで、使用中に結着用紐が捩れて切断されることもない。請求項５に記載された発明によれば、簡単に固定部材を形成することができる。
【００１２】
請求項６に記載された発明によれば、結着用紐の末端に取り付けられた固定部材が第１筒状部材の段差部と係止して、結着用紐を確実に第１筒状部材に固定することができる。
【発明を実施するための最良の形態】
【００１３】
以下、本発明に係る第１の実施形態であるストラップ取り付け具１０及びストラップ本体の取り付け方法を図面により説明すると、図１（ａ）は、ストラップ取り付け具１０の正面図、（ｂ）は、その断面図、図２は、固定部材１８の製造工程を示す説明図、図３は、固定部材１８の折曲げ方法を示す説明図、図４は、固定部材１８による結着用紐１６の固定状態を示す説明図、図５は、ストラップ取り付け具１０を携帯電話に取り付ける状態を示す説明図である。
【００１４】
ストラップ取り付け具１０は、基部１３の外周面に雄ねじ１３Ａを有する第１筒状部材１２と、略中央で折り返された紐体の末端を固定部材１８で固定して形成される結着用紐１６と、先端部の内周面に第１筒状部材１２の雄ねじ１３Ａと螺合する雌ねじ（図示せず。）を有し、底部には軸心方向に回転自在の底板１５Ａと輪環１５を取り付けた第２筒状部材１４とから構成される。
【００１５】
第１筒状部材１２は、例えば、真鍮等の金属を素材として４ｍｍ外径、９ｍｍ高さによる先細の略円筒体であり、基部１３は、例えば、２．８ｍｍ径に縮径しかつ３ｍｍ高さに本体より下方向に突出して、その外周面には雄ねじ１３Ａが形成されている。また、基部１３には、必要に応じて、ねじ緩み止め用Oリング１７が嵌められる。
【００１６】
第１筒状部材１２内部の軸心方向には、例えば、空間部１２Ａ（軸穴）が貫通、開口され、空間部１２Ａ（軸穴）の基部１３側の内径は１．７ｍｍ、頭部側の内径は１．５ｍｍと、わずかに基部１３側の空間部１２Ａ（軸穴）が狭小となることで段差部１９が形成されている。この段差部１９には、後述するように、結着用紐１６が第１筒状部材１２内に挿通されると、結着用紐１６の末端を固定する固定部材１８が係止する。
【００１７】
結看用紐１６は、例えば、ナイロンを素材とする紐体を所定の長さに切断し、略中央で折り返す。そして、例えば、真鍮を素材とする２．５ｍｍ径、０．２ｍｍ肉厚のパイプ１８Ａを２ｍｍ長さに切断したものを末端部１６Ａに挿入し、ペンチ２０のはさみ先端部の内側略中央に設けた凹凸部２２で横方向に折り曲げてＵ字形状１８Ｂを形成する、さらに、Ｕ字形状１８Ｂを縦方向に回転して押圧して扁平形状１８Ｃを形成し、その末端を固定して全体的にループを形成する。
【００１８】
結看用紐１６は、第１筒状部材１２の基部１３方向より空間部１２Ａ（軸穴）に挿入され、その頭部よりループは取り出される。一方、固定部材１８が空間部１２Ａ（軸穴）の段差部１９に係止することで、結着用紐１６は、第１筒状部材１２に固定され、長期間の使用によっても抜けることはない。
【００１９】
第２筒状部材１４は、第１筒状部材１２と同様に、例えば、真鍮等の金属を素材として４ｍｍ径、６ｍｍ長の略円筒体からなるもので、軸心方向には空間部１４Ａ（軸穴）とその内周面には第１筒状部材１２の雄ねじ１３Ａと螺合する雌ねじ（図示せず。）が形成されている。
【００２０】
第２筒状部材１４には、底板１５Ａと、その表面には、例えば、３ｍｍ外径、０．７５ｍｍ線径からなる輪環１５が設けられ、第２筒状部材１４の底部において軸心方向で回転自在となる。一方、底板１５Ａの内面には、中心に形成したピンを押し潰すことにより抜け止め用頭部１５Ｂが形成され、底板１５Ａの第２筒状部材１４からの脱落が防止されている。したがって、第２筒状部材１４においては、使用中にストラップ本体Ｓが回転しても、結着用紐１６が捩れて切断されるようなことはない。
【００２１】
ストラップ取り付け具１０を使用したストラップ本体Ｓの携帯電語Ｐへの取り付け方法を説明する。まず、第1筒状部材１２と第2筒状部材１４とを、それぞれの雄ねじ１３Ａ及び雌ねじを外して分離する。次に、第1筒状部材１２に固定された結着用紐１６を携帯電話Ｐに設けられた紐通し部３２に通し、結着用紐１６の先端ループに第1筒状部材１２を通して引っ張り、携帯電話Ｐに取り付ける。そして、この第1筒状部材１２の雄ねじ１３Ａと、既にストラップ本体Ｓが輪環１５に連結されている第2筒状部材１４の雌ねじとをねじ合わせ、両筒状部材を一体化する。こうして、携帯電話Ｐにストラップ本体Ｓを簡単かつ体裁良く取り付けることかできる。
【００２２】
また、本発明に係る第２の実施形態であるストラップ取り付け具４０を図面により説明すると、図６は、ストラップ取り付け具４０の正面図である。
【００２３】
ストラップ取り付け具４０は、第２筒状部材４２の形状が底部で先細になっている点を除けば、第１筒状部材４２、結着用紐４６、底板４５Ａ、輪環４５の構造は、ストラップ取り付け具１０と同様であり、ストラップ本体Ｓの携帯電語Ｐへの取り付け方法も同様であるので、ここでは詳細な説明を省略する。
【００２４】
本発明は上記実施の形態１，２に限定されず、種々変更して実施することが可能である。例えば、上記実施の形態１，２で挙げた数値や材料は一例であり、本発明の機能を発揮することができる範囲で種々変更することができる。
【図面の簡単な説明】
【００２５】
【図１】第１ストラップ取り付け具の正面図及び断面図である。
【図２】固定部材を示す説明図である。
【図３】固定部材の折曲げ状態を示す説明図である。
【図４】結着用紐の固定状態を示す説明図である。
【図５】第１ストラップ取り付け具を携帯電話に取り付ける状態を示す説明図である
【図６】第２ストラップ取り付け具の正面図である。
【図７】従来のストラップ取り付け具を示す正面図である。
【図８】従来のストラップ取り付け具を示す正面図である。
【符号の説明】
【００２６】
１０  ストラップ取り付け具
１２  第１筒状部材
１２Ａ  空間部
１３  基部
１３Ａ  雄ねじ
１４  第２筒状部材
１４Ａ  空間部
１５  輪環
１５Ａ  底板
１５Ｂ  抜け止め用頭部
１６  結着用紐
１６Ａ  末端部
１７  ねじ緩み止め用Oリング
１８  固定部材
１８Ａ  肉厚のパイプ
１８Ｂ  Ｕ字形状
１８Ｃ  扁平形状
１９  段差部
２０  ペンチ
２２  凹凸部
３２  紐通し部
４０  ストラップ取り付け具
４２  第１筒状部材
４２  第２筒状部材
４６  結着用紐
４５  輪環
４５Ａ  底板
７０  ストラップ取り付け具
７２  筒状部材
７６  結着用紐
７８  ストラップ本体
８０  ストラップ取り付け具
８２  第１筒状部材
８３  底板
８４  第２筒状部材
８５  輪環
８６  結着用紐
Ｓ  ストラップ本体
Ｐ  携帯電語
【図１】
2006000448.tif 000003
【図２】
2006000448.tif 000004
【図３】
2006000448.tif 000005
【図４】
2006000448.tif 000006
【図５】
2006000448.tif 000007
【図６】
2006000448.tif 000008
【図７】
2006000448.tif 000009
【図８】
2006000448.tif 000010